(57)【要約】【課題】光ディスクの回転により生じた空気流で光ヘッド装置を効率的に冷却する。【解決手段】光ヘッド装置１００の底面１００Ａに、凸部１０２及び凸部１０４を形成する。凸部１０２、１０４は、光ディスクの回転により生じた空気流が流入するラジアル方向を基準として千鳥状に形成される。また、凸部１０２、１０４の側面は底面１００Ａから離れるに従って幅狭となるようにテーパ形成される。空気流は凸部１０２、１０４の間の隙間を通って通過して光ヘッド装置１００を冷却し、また、ＦＰＣが底面１００Ａに付着するのを防止する。【選択図】図１
2008293549.tif 000002
【特許請求の範囲】
【請求項１】
回転駆動される光ディスクに対向配置される光ヘッド装置を有する光ディスク装置であって、
前記光ヘッド装置の対物レンズが設けられる表面と反対側の底面に、前記光ディスクの回転により生じる空気流が流入する方向を基準として千鳥状に複数の凸部が離散的に形成されることを特徴とする光ディスク装置。
【請求項２】
請求項１記載の装置において、
前記凸部の側面は、前記光ヘッド装置の底面から離れるに従って幅狭となるようにテーパが形成されることを特徴とする光ディスク装置。
【請求項３】
請求項１記載の装置において、
前記光ヘッド装置の底面に、さらに複数の凹部が離散的に形成される
ことを特徴とする光ディスク装置。
【発明の詳細な説明】
【技術分野】
【０００１】
本発明は光ディスク装置に関し、特に光ヘッド装置の冷却構造に関する。
【背景技術】
【０００２】
光ディスク装置では、光ディスクのデータ面に対向配置された光ヘッド装置に搭載された半導体レーザからレーザ光を照射してデータの記録あるいは再生を行うが、半導体レーザは駆動時に発熱する性質があり、温度が一定以上になると動作が不安定になるので冷却機構を設けることが必要となる。特に、半導体レーザの周囲には対物レンズを駆動するアクチュエータや集積回路及びディスクモータ等の発熱体が備えられていることから、光ヘッド装置を効率的に冷却することが必要である。
【０００３】
光ヘッド装置に対する冷却機構としては、光ディスクが高速回転することによって発生する空気流を光ヘッド装置に導いて強制空冷する方式が考えられている。
【０００４】
下記の特許文献１には、上記の課題に対応すべく、光ディスクの回転により生じる空気流を光ヘッド装置に導く空気流通路を設けることが開示されている。
【０００５】
図４に、この従来技術に開示された光ディスク駆動装置の構成を示す。筐体１１の底面１１ａの中央部にディスクモータ１２が設置されている。ディスクモータ１２は、その回転軸１２ａがターンテーブル１３に連結されており、これにより、ターンテーブル１３に搭載された光ディスク１４が回転駆動される。ターンテーブル１３に搭載された光ディスク１４の信号記録面側、つまり、図における光ディスク１４の下面側に光ヘッド装置１５が配置される。光ヘッド装置１５は、筐体１１に並設された一対のガイドシャフト１６，１６によって、光ディスク１４の半径方向に移動自在に支持される。筐体１１内には、光ディスク１４と光ヘッド装置１５とを隔てるように、化粧板１７が設置されている。化粧板１７は、光ヘッド装置１５に対して、外部からの目隠し作用や防塵作用等を果たすために設置されており、化粧板１７には、ターンテーブル１３が遊挿される透孔１７ａや、対物レンズ１５ｂと光ディスク１４との間にレーザ光を通すための長孔１７ｂ等が形成されている。また、化粧板１７には、その光ディスク１４の周縁よりも外側で、かつ、光ヘッド装置１５の近傍に対応する位置に、少なくとも１つ（図示の場合は２つ）の透孔１８，１８が形成されている。これらの透孔１８，１８には、その外側に対応する辺に、光ディスク１４が高速回転することによって生じる空気流が、透孔１８を通って光ヘッド装置１５に流れるように、化粧板１７の光ディスク１４側から光ヘッド装置１５側に跨がって連続して湾曲された空気ガイド部材１９が設置される。このような構成により、光ディスク１４の回転によって生じる空気流が、空気ガイド部材１９に案内されて効率的に光ヘッド装置１５に流れ込むようになるので、光ヘッド装置１５を十分に冷却することができるとしている。
【０００６】
【特許文献１】特開平１１−２５６６７号公報
【発明の開示】
【発明が解決しようとする課題】
【０００７】
しかしながら、例えばノートコンピュータに内蔵される光ディスク装置においてはより一層の薄型化が要求されており、光ヘッド装置と筐体底部との間の隙間もほとんど消失しているのが現状である。このような状態で光ディスクの回転により生じる空気流を空気ガイド部材により光ヘッド装置に流れ込むようにしても、隙間がない状態では冷却効果が期待できない問題がある。
【０００８】
さらに、薄型化に伴い、対物レンズ等を駆動する回路を搭載するＦＰＣ（Flexible Print Circuit）が光ヘッド装置に近接配置されることとなり、ＦＰＣが光ヘッド装置の底面に付着することによる光ヘッド装置のスレッド動作不良が生じる問題もある。
【０００９】
本発明の目的は、光ヘッド装置の冷却効率を上げるとともに、光ヘッド装置とＦＰＣとの付着を防止できる光ディスク装置を提供することにある。
【課題を解決するための手段】
【００１０】
本発明は、回転駆動される光ディスクに対向配置される光ヘッド装置を有する光ディスク装置であって、前記光ヘッド装置の対物レンズが設けられる表面と反対側の底面に、前記光ディスクの回転により生じる空気流が流入する方向を基準として千鳥状に複数の凸部が離散的に形成されることを特徴とする。
【００１１】
本発明の１つの実施形態では、前記凸部の側面は、前記光ヘッド装置の底面から離れるに従って幅狭となるようにテーパが形成される。
【発明の効果】
【００１２】
本発明によれば、光ヘッド装置の底面に形成された凸部により空気流の流路が形成され、光ヘッド装置の冷却効率が向上する。また、凸部によりＦＰＣが光ヘッド装置の底面に付着することを防止し、光ヘッド装置の円滑なスレッド動作を確保できる。
【発明を実施するための最良の形態】
【００１３】
以下、図面に基づき本発明の実施形態について説明する。
【００１４】
図１に、本実施形態における光ディスク装置に組み込まれる光ヘッド装置１００の構成を示す。図１（ａ）は光ヘッド装置１００の底面図であり、図１（ｂ）は光ヘッド装置１００の側面図である。光ヘッド装置１００は図４に示す光ヘッド装置１５と同様に一対のガイドシャフト（不図示）により光ディスクの半径方向（ラジアル方向）に移動自在に筐体に支持される。図において、光ディスクのラジアル方向を図中矢印で示す。光ヘッド装置１００の表面１００Ｂ、つまり光ディスクのデータ面に対向する面には対物レンズ１０６が設けられる。また、光ヘッド装置１００の底面１００Ａ、つまり対物レンズ１０６が設けられている表面とは反対側の面に、複数の凸部１０２が形成される。
【００１５】
光ヘッド装置１００の底面に形成される複数の凸部１０２は、平面形状が楕円径であり、楕円の長軸方向が光ディスクのラジアル方向に一致するように形成される。また、凸部１０２は、光ヘッド装置１００の底面１００Ａに千鳥状となるように形成される。ここで、「千鳥状」とは、ラジアル方向と垂直な方向に複数の凸部１０２を第１の間隔をあけて一列に配置し（これを第一列とする）、次の列（第二列）は第一列の間隔に凸部１０２が形成されるように第２の間隔をあけて一列に配置し、さらに次の列（第三列）は第二列の間隔に凸部１０２が形成されるように第３の間隔をあけて一列に配置する構成を意味する。各列の間隔である第１の間隔、第２の間隔、第３の間隔は同一でもよく異なっていてもよい。各間隔が同一の場合には各列の凸部１０２の形成密度は同一となるが、各間隔が異なる場合には各列の凸部１０２の形成密度は異なることになる。凸部１０２は、その高さは全て同一であってもよく、異なっていてもよい。光ヘッド装置１００の底面１００Ａに、凸部１０２の他に、サイズの異なる凸部１０４を形成してもよい。図１（ａ）において、凸部１０４の平面形状の面積は、凸部１０２の平面形状の面積よりも小さい。
【００１６】
このように、凸部１０２あるいは凸部１０４を光ヘッド装置１００の底面１００Ａに形成することで、光ディスクの回転により生じた空気流で光ヘッド装置１００を効率的に冷却することができる。すなわち、光ディスクの回転により、例えば上記の従来技術のように空気流が外周方向から内周方向に向けて流入するが、光ヘッド装置１００の底面１００Ａが平坦である場合には筐体との間に隙間がないため流入した空気流が光ヘッド装置１００の底面１００Ａを通り抜けることが困難となり冷却されにくいところ、本実施形態では底面１００Ａに複数の凸部１０２あるいは凸部１０４が形成されているため、空気流の流路が形成されることとなり、光ヘッド装置１００を冷却することができる。具体的には、凸部１０２あるいは凸部１０４の存在により底面１００Ａと筐体面との間に空気流の流路となる隙間が形成され、かつ、凸部１０２あるいは凸部１０４は千鳥状に形成されているので、空気流は凸部１０２あるいは凸部１０４に衝突し、ラジアル方向と垂直な方向へ分流され、隣接する流路を通過した空気流と混ざり合うので、局所的に高温の空気流が流れることがなく、冷却効果を高めることができる。図１（ａ）に、空気流の流路を矢印で示す。
【００１７】
図２に、凸部１０２（あるいは凸部１０４）の模式的斜視図を示す。凸部１０２あるいは凸部１０４の側面には、光ヘッド装置１００の底面１００Ａから離れるに従って幅狭となるようにテーパ面が形成される。このテーパ面により、図に示すように凸部１０２あるいは凸部１０４を乗り越えるような空気流の分流が発生することになり、光ヘッド装置１００の底面１００Ａから離れる方向の風圧を与えることができる。したがって、ＦＰＣが光ヘッド装置１００の底面１００Ａに近接して存在しても、この空気流の分流による風圧により、ＦＰＣが底面１００Ａに付着することを効果的に防止できる。
【００１８】
図３（ａ）に、光ヘッド装置１００の平面図を示す。また、図３（ｂ）に、光ヘッド装置１００の表面１００Ｂから底面１００Ａに向けて延在するＦＰＣ１０８を有する光ヘッド装置１００の側面図を示す。ＦＰＣ１０８は、光ヘッド装置１００の表面１００Ｂの一端部から延在し、光ヘッド装置１００の側面を回り込んで光ヘッド装置１００の底面１００Ａに近接し、筐体に設けられた制御基板（不図示）に接続される。光ヘッド装置１００は光ディスクのラジアル方向に移動し、この移動に伴ってＦＰＣ１０８も移動する。
【００１９】
既述したように、光ディスク装置の薄型化に伴って、光ヘッド装置１００の底面１００Ａと筐体面との隙間がなくなり、このためＦＰＣ１０８が光ヘッド装置の底面１００Ａに接着し付着し易くなっている。ＦＰＣ１０８が底面１００Ａに付着してしまうと光ヘッド装置１００のスレッド動作が不良となる。一方、本実施形態では、光ヘッド装置１００の底面１００Ａには複数の凸部１０２あるいは凸部１０４が形成されており、従来の光ヘッド装置１００の底面が平坦である場合よりもＦＰＣ１０８の光ヘッド装置１００との接触面積が小さいのでＦＰＣ１０８が光ヘッド装置１００の底面１００Ａに付着しにくい。しかも凸部１０２あるいは凸部１０４にはテーパ面が形成されており、光ディスクの回転により底面１００Ａと筐体面との間に流入した空気流から凸部１０２あるいは凸部１０４を乗り越えるような空気流が形成されるから、ＦＰＣ１０８が底面１００Ａに付着することを防止できる。図３（ｂ）において、凸部１０２あるいは凸部１０４により、光ヘッド装置１００とＦＰＣ１０８との間に隙間ｄが確保される様子を示す。
【００２０】
このように、本実施形態の凸部１０２あるいは凸部１０４は、底面１００Ａと筐体との間に隙間を形成して空気流の流路を形成することにより光ヘッド装置１００を冷却する機能と、ＦＰＣ１０８の付着により光ヘッド装置１００のスレッド動作不良を防止する機能の２つの機能を同時に達成するものである。なお、凸部１０２あるいは凸部１０４にテーパ面が形成されることで、ＦＰＣ１０８接触時の傷発生を防止する効果もある。
【００２１】
本実施形態においては、光ディスクの回転により生じる空気流は従来技術のように空気流通路を通ってラジアル方向から流入する場合について説明したが、本実施形態はこれに限定されるものではなく、光ディスクの回転により生じる空気流を光ヘッド装置１００に導く任意の構成に適用できる。また、空気流の流入方向もラジアル方向に限定されるものではなく、任意の方向でよい。この場合、凸部１０２あるいは凸部１０４は、空気流の流入する方向を基準として形成すればよく、具体的には空気流の流入する方向を基準として長軸方向が空気流の流入する方向に平行となるように、かつ、複数の凸部１０２あるいは凸部１０４を千鳥状に離散的に形成すればよい。
【００２２】
また、本実施形態では、凸部１０２の他に凸部１０４を形成しているが、凸部１０４の形成位置を特定位置に限定してもよい。例えば、凸部１０４を特に高温になり易い対物レンズを駆動するアクチュエータや集積回路等の発熱体の直下位置に形成する等である。半導体レーザの直下でもよい。もちろん、凸部１０２のみを形成し、凸部１０４を形成しなくてもよい。すなわち、同一形状、同一サイズの凸部１０２のみを底面１００Ａに形成してもよい。
【００２３】
また、凸部１０２あるいは凸部１０４は底面１００Ａの全面に形成する必要はなく、底面１００Ａの一部に局所的に形成してもよい。例えば、半導体レーザの直下、及びＦＰＣ１０８の近接位置に形成する等である。
【００２４】
また、本実施形態では凸部１０２あるいは凸部１０４を底面１００Ａに形成しているが、凸部１０２あるいは凸部１０４に加え、複数の凹部を離散的に底面１００Ａに形成してもよい。特に、ＦＰＣ１０８の付着防止には、凸部１０２あるいは凸部１０４とともに離散的に凹部を形成することが効果的である。発熱体の直下に凸部１０２あるいは凸部１０４を集中的に形成し、ＦＰＣ１０８の近接位置に凹部を集中的に形成してもよい。
【００２５】
さらに、本実施形態では凸部１０２あるいは凸部１０４の平面形状を楕円形状としたが、円形状あるいは流線型としてもよい。但し、流入する空気流に対する空気抵抗が小さい形状とすることが望ましい。また、凸部１０２あるいは凸部１０４は矩形状にすることもできるが、その場合は角部にＲ（曲率）を形成して空気抵抗を小さくするのが望ましい。
【図面の簡単な説明】
【００２６】
【図１】実施形態における光ヘッド装置の構成図である。
【図２】凸部の模式的斜視図である。
【図３】実施形態における光ヘッド装置の構成図である。
【図４】従来技術の光ヘッド装置の構成図である。
【符号の説明】
【００２７】
１００  光ヘッド装置、１００Ａ  底面、１００Ｂ  表面、１０２，１０４  凸部、１０６  対物レンズ、１０８  ＦＰＣ。
【図１】
2008293549.tif 000003
【図２】
2008293549.tif 000004
【図３】
2008293549.tif 000005
【図４】
2008293549.tif 000006